(57)【要約】      （修正有）【課題】防護管の取り付け数量に関係なく、しかも、絶縁ヤットコ等の間接活線工具の使用を少なくする防護管取付補助装置を提供する。【解決手段】防護管２に防護管保持用具１２を取り付け、架線１に筒状体２９を有する架線吊下げ具１３を吊り下げると共に、線状部材１４を、防護管保持用具から架線吊下げ具側まで延び、この架線吊下げ具の筒状体のうち架線に装着した防護管取付機器３側に向く貫通孔２８の開口に対し当該開口近傍に配置された滑車３０に引き掛けつつ筒状体内部を通って貫通孔の前記開口とは反対側の開口から当該開口近傍に配置された滑車３１に引き掛けつつ外部に引き出させて、この線状部材の開口から引き出されて垂下した部位を引っ張ることで、防護管保持用具ひいては防護管を防護管取付機器側に引き上げられるようにした。【選択図】図３
2010035379.tif 000002
【特許請求の範囲】
【請求項１】
架線の側方外面に取り付けられる防護管の側方外面に着脱自在に装着される防護管保持用具と、
筒状体を有して構成され、この筒状体の一方側の開口が前記架線に取り付けられた防護管取付機器側を向き、前記筒状体の他方側の開口が前記防護管取付機器側とは反対側を向くように、前記架線に吊り下げられる架線吊下げ具と、
前記防護管保持用具から前記架線吊下げ部材側に向けて延び、この架線吊下げ具の筒状体の一方側の開口から内部を通過して他方側の開口より引き出されて垂下した線状部材とを少なくとも備え、
前記架線吊下げ具は、前記線状部材のうち前記筒状体の他方側の開口から引き出されて垂下した部位を引っ張ることで、この引っ張り力を、前記防護管保持用具を前記防護管取付器具側に引き上げる方向に可変して伝達する伝達手段を有することを特徴とする防護管取付補助装置。
【請求項２】
前記防護管保持用具は、前記防護管の側方外面に当接してこれを把持するための２つの把持部と、これらの把持部同士の対峙する側端のうち一方側端を相互に近接と遠隔との方向に動作させるためにこれらの把持部同士の対峙する側端のうち他方側端に設けられた開閉機構とから成り、
前記把持部同士の対峙する側端のうち相互に近接と遠隔との方向に動作する一方側端では、それぞれ前記防護管の径方向に延びる延出部を有し、これらの延出部のうち一方の延出部に前記線状部材の端部が固定されると共に、他方の延出部を前記線状部材が挿通することにより、前記線状部材のうち前記筒状体の他方の開口から引き出されて垂下した部位を引っ張ることで、前記把持部のうちの一方側端が閉じることを特徴とする請求項１に記載の防護管取付補助装置。
【請求項３】
前記架線吊下げ具の伝達手段は、前記筒状体の一方側の開口近傍部位に配置された滑車と前記筒状体内の他方側の開口近傍部位に配置された滑車とから成ることを特徴とする請求項１又は請求項２に記載の防護管取付補助装置。
【請求項４】
前記架線吊下げ具は、前記筒状体の一方側開口が前記筒状体の他方側開口よりも前記架線に近接するように傾いた状態で前記架線に吊り下げられることを特徴とする請求項１、請求項２又は請求項３のいずれかに記載の防護管取付補助装置。
【請求項５】
架線の側方外面に取り付けられる防護管の側方外面に着脱自在に装着される防護管保持用具と、前記架線に少なくとも１の支点により吊り下げられる架線吊下げ部材と、前記防護管保持用具から前記架線吊下げ部材の側に向けて延びる線状部材とを少なくとも備え、前記線状部材は、前記架線吊り下げ具の１の支点以外に他の支点でも支えられており、この他の支点のうち前記１の支点とは反対側にて垂下した構成となっている防護管取付補助装置を用いる防護管取付方法であって、
前記線状部材のうち垂下した部位を引っ張ることにより、前記防護管の側方外面に装着された状態の防護管保持用具ひいては防護管を引き上げることを特徴とする防護管取付方法。
【発明の詳細な説明】
【技術分野】
【０００１】
この発明は、防護管取付機器による架線の側面に防護管を取り付ける作業で補助的に用いられる装置の構成と、防護管取付機器による防護管取付方法のうちの防護管取付補助装置を用いた過程を対象とした防護管取付方法に関する。
【背景技術】
【０００２】
電線等の架線に近接した場所でクレーン車の高架な機械器具を利用した工事等を行う場合には、架線の破損や感電の防止の見地から、電力会社等の架線を管理する会社に要請して、当該管理会社から派遣された作業員が特許文献１等に示されるような防護管を必要な数ほど架線に取り付ける作業を行う。
【０００３】
そして、この架線に対し防護管を架線に取り付けるにあたり、例えば特許文献２に示される防護管挿入機等の防護管を取り付けるための機器（以下、防護管取付機器と称する。）を用い、且つ特許文献１等に示されるように、絶縁ヤットコ等の間接活線工具でこの防護管取付機器側に向けて防護管を押し上げる過程を経ることで、防護管が架線の側方外面に取り付けられる。
【特許文献１】特開２００６−３２０１５７号公報
【特許文献２】特開平１１−２３４８２９号公報
【発明の開示】
【発明が解決しようとする課題】
【０００４】
しかしながら、特許文献２に記載の防護管挿入機等の防護管取付機器を用い、特許文献１に記載のように絶絶縁ヤットコ等の間接活線工具でこの防護管取付機器側に向けて防護管を押し上げる作業では、当該特許文献１の「発明が解決しようとする課題」で記述されているように、この種の防護管がプラスック等で構成されているためその外面が滑りやすくなっていることから、防護管を絶縁ヤットコ等の間接活線工具で把持して移動させるのに相当の労力の行使が必要となり作業負担が大きいことから、連続して何本もの防護管の架線への取付作業を行うことが困難であった。
【０００５】
また、防護管取付機の架線への取り付け位置が電線等の柱状立設から相対的に大きく離れると、絶縁ヤットコ等の間接活線工具の操作が難しくなるので、防護管の架線への取付作業が困難になり、高所作業車の使用が必要となるという不都合も生ずる。
【０００６】
そこで、本発明は、防護管取付機を補助することにより、防護管の取り付け数量に関係なく、しかも、絶縁ヤットコ等の間接活線工具の使用を少なくすることで、電柱等の柱状体からの距離による作業の影響を小さくし、円滑且つ簡便な防護管の架線への取付作業を可能とした防護管取付補助装置及びこれを用いた防護管取付方法を提供することを目的とする。
【課題を解決するための手段】
【０００７】
この発明に係る防護管取付補助装置は、架線の側方外面に取り付けられる防護管の側方外面に着脱自在に装着される防護管保持用具と、筒状体を有して構成され、この筒状体の一方側の開口が前記架線に取り付けられた防護管取付機器側を向き、前記筒状体の他方側の開口が前記防護管取付機器側とは反対側を向くように、前記架線に吊り下げられる架線吊下げ具と、前記防護管保持用具から前記架線吊下げ部材側に向けて延び、この架線吊下げ具の筒状体の一方側の開口から内部を通過して他方側の開口より引き出されて垂下した線状部材とを少なくとも備え、前記架線吊下げ具は、前記線状部材のうち前記筒状体の他方側の開口から引き出されて垂下した部位を引っ張ることで、この引っ張り力を、前記防護管保持用具を前記防護管取付器具側に引き上げる方向に可変して伝達する伝達手段を有するものとなっている（請求項１）。前記架線吊下げ具の伝達手段は、前記筒状体の一方側の開口近傍部位に配置された滑車と前記筒状体内の他方側の開口近傍部位に配置された滑車とから成っている（請求項３）。防護管取付器具自体は、防護管を架線に取り付けるにあたり手動作業的なものであっても自動的なものであっても良い。架線吊下げ具の筒状体の防護管取付機器とは反対側から引き出されて垂下した線状部材は、その先端が地上から絶縁ヤットコ等の間接活線器具で把持することができる位置まで垂れ下がったものとなっている。
【０００８】
ここで、前記防護管保持用具は、前記防護管の側方外面に当接してこれを把持するための２つの把持部と、これらの把持部同士の対峙する側端のうち一方側端を相互に近接と遠隔との方向に動作させるためにこれらの把持部同士の対峙する側端のうち他方側端に設けられた開閉機構とから成り、前記把持部同士の対峙する側端のうち相互に近接と遠隔との方向に動作する一方側端では、それぞれ前記防護管の径方向に延びる延出部を有し、これらの延出部のうち一方の延出部に前記線状部材の端部が固定されると共に、他方の延出部を前記線状部材が挿通することにより、前記線状部材のうち前記筒状体の他方の開口から引き出されて垂下した部位を引っ張ることで、前記把持部のうちの一方側端が閉じるようになっている（請求項２）。尚、前記防護管保持用具は、前記把持部のうち相互に遠近する方向に動作する延出部側が略鉛直方向の上方側に位置し、前記開閉機構を有する側が略鉛直方向下方側に位置するように前記防護管に装着される。開閉機構としては、例えば蝶番（ヒンジ）等が挙げられる。これにより、防護管は防護管保持用具の把持部により確実且つ堅固に保持されるので、防護管が防護管保持用具に対し当該防護管の軸方向に沿ってずれたりすることがない。
【０００９】
更に、前記架線吊下げ具は、前記筒状体の一方側開口が前記筒状体の他方側開口よりも前記架線に近接するように傾いた状態で前記架線に吊り下げられている（請求項４）。これにより、線状体のうち架線吊下げ具の筒状体から引き出されて垂下した部位を引っ張った際に、線状体の相対的な移動が円滑化される。
【００１０】
しかるに、請求項１から請求項４に記載の防護管保持用具、架線吊下げ具及び線状部材から少なくとも構成された防護管取付補助装置を用いた防護管取付機器による防護管取付過程の一部の過程として、前記防護管保持用具の開閉機構を操作して把持部の一方側端同士を相対的に大きく開き、前記防護管のうち架線の側方外面に装着されていない部位の側方外面を保持する過程と、前記架線吊下げ具を、前記筒状体の一方側開口が前記防護管のうち架線の側方外面に装着された部位側を向くように前記架線に吊り下げる過程とを適宜な順序で行うことにより、前記防護管取付補助装置を架線と防護管との双方に取り付けた後、前記線状部材のうち前記架線吊下げ具の筒状体の他方側開口から引き出された部位を引っ張ることにより、前記防護管の側方外面に装着された状態の防護管保持用具、ひいては防護管を前記防護管取付機器側に引き上げることが可能となる。
【００１１】
すなわち、防護管を架線に取り付けるに際し、絶縁ヤットコ等の間接活線工具で防護管を直接に把持して下方から防護管取付機器側に押し上げる代わりに、線状部材のうち架線吊下げ具から引き出された部位を絶縁ヤットコ等の間接活線工具で引っ張ることにより、線状部材により２つの滑車の回転を介して防護管を保持した防護管保持用具が防護管取付機器側に引き上げられることとなる。また、作業者は地上から線状部材を絶縁ヤットコ等の間接活線工具で引っ張ることで防護管取付補助装置の操作ができるので、この防護管取付補助装置では電柱等の柱状体からの距離に何ら影響されることなく作業を行うことができる。
【００１２】
この発明に係る防護管取付方法は、架線の側方外面に取り付けられる防護管の側方外面に着脱自在に装着される防護管保持用具と、前記架線に少なくとも１の支点により吊り下げられる架線吊下げ部材と、前記防護管保持用具から前記架線吊下げ部材の側に向けて延びる線状部材とを少なくとも備え、前記線状部材は、前記架線吊り下げ具の１の支点以外に他の支点でも支えられており、この他の支点のうち前記１の支点とは反対側にて垂下した構成となっている防護管取付補助装置を用いる防護管取付方法であって、前記線状部材のうち垂下した部位を引っ張ることにより、前記防護管の側方外面に装着された状態の防護管保持用具ひいては防護管を引き上げることを特徴としている（請求項５）。他の支点は、架線吊下げ部材を架線に支持するものに限定されず、線状部材が絶縁性を有していれば、腕金でも他相の電線等の架線でも良い。
【００１３】
これにより、防護管を架線に取り付けるに際し、絶縁ヤットコ等の間接活線工具で防護管を直接に把持して下方から防護管取付機器側に押し上げる代わりに、線状部材のうち架線吊下げ具から引き出されて垂下した部位を絶縁ヤットコ等の間接活線工具で引っ張るだけで良くなる。しかも、線状部材を１の支点のみで支持する場合には、線状部材が１の支点の直後にて垂下するため、防護管に線状部材の垂下した部位が干渉するところ、他の支点でも線状部材を支持することで、このような干渉が排除され、作業者の線状部材を引く作業位置が防護管から相対的に離れるので、作業の安全性が向上する。
【発明の効果】
【００１４】
以上のように、本願の発明によれば、防護管を架線に取り付けるにあたり、線状部材のうち架線吊下げ具から引き出された部位をヤットコ等の間接活線工具で引っ張ることにより、線状部材により２つの滑車の回転を介して防護管保持用具ひいてはこの防護管保持用具により保持された防護管が架線側に引き上げられるので、絶縁ヤットコ等の間接活線工具で防護管を直接に把持して下方から押し上げる場合に比し、防護管取付機器への防護管の取付作業の労力が軽減され、複数の防護管の取り付け作業を進めることができる。よって、防護管の取付作業の簡便化、円滑化を図ることが可能となる。
【００１５】
また、作業者は地上から線状部材を絶縁ヤットコ等の間接活線工具で引っ張ることができるため、この防護管取付補助装置では電柱等の柱状体からの距離に何ら影響されることなく作業を行うことが可能となり、防護管取付器具の架線への取り付け位置も限定されなくなる。
【００１６】
特に、請求項２に記載の発明によれば、防護管を防護管保持用具の把持部により確実且つ堅固に保持することができるので、防護管が防護管保持用具に対し当該防護管の軸方向に沿ってずれたりすることを防止することが可能となる。
【００１７】
特に、請求項４に記載の発明によれば、線状体の架線吊下げ具の筒状体から引き出されて垂下した部位を引っ張った際に、当該線状体の相対的な移動を円滑にすることができる。
【００１８】
特に、請求項５に記載の発明によれば、線状部材を第１の支持部のみで支持する場合には、線状部材が１の支点の直後にて垂下するために防護管に線状部材の垂下した部位が干渉するところ、他の支点でも線状部材を支持することから、このような線状部材の垂下した部位による防護管への干渉が排除されるので、防護管取付作業の簡易化を図ることができると共に、作業者の線状部材を引く作業位置が防護管から相対的に離れるので作業の安全性も向上させることができる。
【発明を実施するための最良の形態】
【００１９】
以下、この発明の実施形態の一例を図面に基づいて説明する。
【００２０】
図１及び図３において、電線等の架線１の側方外面に防護管２を取り付けるための防護管取付機器３と、この防護管取付機器３を補助するための防護管取付補助装置１１とが示されている。
【００２１】
このうち、防護管２は、それ自体にあっては公知のもので、例えば注意喚起のために黄色に着色されたプラスチック等の絶縁素材で形成されており、図２（Ｂ）に示されるように、その軸方向に沿って外側に並行して延びる２つのフランジ２ａ、２ｂを有し、このフランジ２ａ、２ｂを電柱等の柱状立設体（図示せず）間に架設され且つ活線状体の架線１の径方向に沿った側面から下記する防護管取付機器３を介して押し当てることにより、フランジ２ａ、２ｂ間が開いて、架線１に対してその全周を包み込むように装着される。
【００２２】
また、防護管取付機器３は、特に限定されず公知のもので足り、この実施例に示される防護管取付機器３は、手動式のもので、駆動タイヤ４と、締付け具５と、防護管挿入ガイド６と、ガイドコロ７と、コロアーム８と、間接活線作業用の接続棒と接続するための接続部９とを少なくとも有して構成されている。
【００２３】
さらに、図１において、架線１が張った状態を保持するための絶縁操作棒１０が示されているところ、電柱等の柱状体に近接した位置の場合にはこの絶縁操作棒１０を用いなくても良い。
【００２４】
これに対し、防護管取付補助装置１１は、防護管保持用具１２と、架線吊下げ具１３と、線状部材１４とを有して構成されている。
【００２５】
防護管保持用具１２は、図２に示されるように、２つの対峙する構成部材１６、１７により構成されており、これらの構成部材１６、１７は、防護管２の側方外面に当接可能なように防護管２の側方外面と略同じ曲率で円弧状に湾曲した把持部１８と、この把持部１８、１８同士で対峙する端部のうちの一方側の端部から延びる延出部１９と、把持部１８、１８同士で対峙する端部のうち延出部１９を有する側とは反対側に形成された開閉機構２４とから構成されている。
【００２６】
このうち、構成部材１６の延出部１９は、図２（ａ）及び（ｂ）に示されるように、線状部材１４の本体部分１４ａが挿通可能である一方で、線状部材１４の一方側先端に設けられた頭部１４ｂの外径寸法よりも小さな内径寸法の貫通孔２１が形成されている。また、構成部材１７の延出部１９は、図２（ｂ）及び（ｃ）に示されるように、延出部１９の一方の側縁から防護管２の軸方向に沿って延びた後に防護管２の径方向に沿って延びるかたちで略Ｌ字形状に形成された切り欠き溝２２が形成されて、線状部材１４をこの切り欠き溝２２の防護管２の径方向に沿って延びる側の先端に係止することが可能となっている。
【００２７】
開閉機構２４は、２つのつまみ部２５、２５と、このつまみ部２５、２５を操作することで構成部材１６の把持部１８と延出部１９と構成部材１７の把持部１８と延出部１９とを相互に近接する方法とその反対に遠隔になる方向とに可動可能に連結する蝶番（ヒンジ）２６によって構成されている。つまみ部２５は、金属製の素材で形成されていても、絶縁性の素材で形成されていても良い。そして、この実施例では、通常時でも、構成部材１６、１７の延出部１９、１９同士が対峙する側は、防護管２への装着を簡便にするため等から防護管２の直径寸法よりも相対的に小さな幅で開いた状態にある。そして、図２（Ｂ）の白抜き矢印として示すように、つまみ部２５、２５を相互に近接するように可動することで、構成部材１６、１７の延出部１９、１９同士が対峙する側は、図２（Ｂ）の太線矢印の方向に可動して、防護管２のフランジ２ａ、２ｂを挟むように閉じた状態となり、これに伴い、構成部材１６、１７の把持部１８、１８で防護管２を当該防護管保持用具１２が防護管２に沿ってずれ落ちないように一時的に把持することができる。つまみ部２５、２５を持って相互に近接させる作業は、絶縁ヤットコ等の間接活線工具を用いて行う。これにより、防護管２の側方外面の適宜な位置に、防護管保持用具１２を着脱自在に装着させることが可能である。
【００２８】
尚、防護管保持用具１２の構成部材１６、１７の把持部１８は、図２（ａ）及び（ｃ）では防護管２の径方向から見て角が９０度の長方形状となっているが必ずしもこれに限定されず、例えば、図示しないが防護管２の径方向から見て、延出部１９とつまみ部２５とが防護管２の軸方向に沿った基準線上に位置しない平行四辺形状となっていても良い。
【００２９】
架線吊下げ具１３は、後述する線状部材を２以上の支点で支持するためのもので、この実施例では、図３から図５に示されるように、絶縁性の素材から形成され、断面が縦長の長方形状の貫通孔２８が直線状に穿たれた筒状体２９を有して構成されており、この筒状体２９の貫通孔２８の両方の開口近傍部位には、貫通孔２９の内側の側面に回転体３２を回転可能に軸支して成る固定滑車３０、３１が配置されている。これらの滑車３０、３１は、線状部材１４の本体部分１４が回転体３２の円周方向に延びる凹部上方に引き掛けられるように、貫通孔２８の下方寄りに取り付けられている。
【００３０】
また、架線吊下げ具１３は、図１、図３及び図５に示されるように、2つの支持部３３、３４によって架線１に吊り下げられている。このうち、防護管取付機器３から相対的に離れた位置にある支持部３４は、例えば直線状部の先端が湾曲して形成された略逆Ｊの字状のものとなっている。もっとも、支持部３４は、架線１に引き掛ける機能を有していれば足り、その構成は特に限定されないものである。これに対し、防護管取付機器３に対し相対的に近い位置にある支持部３３は、例えば不動部位３３ａと、この不動部位３３ａ内に収納されて例えば不動部位３３ａの内側面に形成されたボタン（図示せず）が架線１と当接して押圧されることで飛び出る可動部３３ｂとから構成され、この不動部３３ａと可動部３３ｂとで架線１を強固に把持することが可能な構造となっている。もっとも、支持部材３３は、後述する線状部材１４の引き手３６を引っ張っても架線吊下げ具１３が架線１にそってずれることなく、且つ、架線１を傷めない程度に確実に把持することが可能であれば、その構成は特に限定されないものである。
【００３１】
そして、支持部３３、３４は、特に図３に示されるように、架線１を挟み又は引き掛けることで筒状体２９を吊り下げた際に、貫通孔２８の両方の開口のうち防護管取付機器３側の開口の方が防護管取付機器３とは反対側の開口よりも架線１に近接するように傾斜した状態となるために、支持部３３の架線１から筒状体２９までの寸法よりも支持部３４の架線１から筒状体２９までの寸法の方が長くなっている。
【００３２】
尚、架線吊下げ具１３は、線状部材１４を２以上の支点で支持することが可能であれば上記構成に限定されず、図示しないが、線状部材が挿通可能な環状部及びこの環状部から外方に延びて架線等に吊り下げることができる支持部３３又は３４を有して成る２つの部材を用いたものとしても良い。また、先の実施例及び上記変形例で示す支持部３４は、架線１に引き掛ける用途のみに限定されず、線状部材１４が絶縁性であれば電柱等の柱状体に装柱された腕金や他相の架線に引き掛けるものとしても良い。
【００３３】
線状部材１４は、絶縁性の素材から形成されたもので、例えば、開閉器の操作で使用される引き綱のような構成のもの等が用いられる。すなわち、線状部材１４は、例えば、強力なガラス繊維をよらずに平行に引きそろえ、単繊維間まで特殊合成樹脂を浸潤させると共にその外側を柔軟性塩化ビニル樹脂で被覆した構造のものとなっている。
【００３４】
また、線状部材１４は、先述したように、所定の長さの本体部分１４ａと、この本体部分１４ａの一方側端に形成された頭部１４と、本体部分１４ａの他方端に形成された引き手３６とから構成されている。引き手３６は、特に図３に示されるように略矢印形状の空間を内部に有する枠体状のものであり、絶縁ヤットコ等の間接活線器具で掴みやすくなっている。引き手３６は、線状部材１４の防護管保持用具１２への装着、架線吊下げ具１３の筒状体２９に形成された貫通孔２８を挿通させる作業との関係上、着脱可能となっていることが好適である。
【００３５】
そして、このような構成の線状部材１４について、図１及び図３に示される状態とするために、例えば、本体部分１４ａの頭部１４とは反対側で引き手３６が外された端部を、防護管保持用具１２の構成部材１６のうちの延出部１９に形成された貫通孔２１に挿通させ、防護管保持用具１２の構成部材１７のうちの延出部１９に形成された切り欠き溝２２に引き掛けた後、架線吊下げ具１３の筒状体２９に形成された貫通孔２８に対し防護管取付機器３側の開口から滑車３０の回転体３２に巻き付けることで引き掛けつつ貫通孔２８内に通してゆき、滑車３１の回転体３２に巻き付けることで引き掛けつつ貫通孔２８のうち防護管取付機器３とは反対側から引き出して、その引き出された先端に引き手３６を取り付ける。もっとも、防護管取付機器３を防護管２の側方外面に装着する際には、線状部材１４は、その障害とならないように、切り欠き溝２２から外れた状態とし、防護管取付機器３を防護管２の側方外面に装着した後に、切り欠き溝２２に引き掛けるのが好適である。
【００３６】
このような防護管取付補助装置１１の構成とすることにより、防護管保持用具１２のつまみ部２５、２５を絶縁ヤットコ等の間接活線工具で摘まんで防護管２の側方外面にずれ落ちないように装着した後、つまみ部２５、２５から絶縁ヤットコ等の間接活線工具引き手３６を外しつつ、絶縁ヤットコ等の間接活線工具で掴んで線状部材１４を下方に引き下げる。これにより、防護管保持用具１２が防護管２を強固に把持した状態が保持されるので、防護管２は防護保持用具１２と共に防護管取付機器３側に引き上げられてこの防護管取付機器３の防護管挿入ガイド６まで案内される。そして、線状部材１４を引き下げる力を緩めることにより、防護管保持用具１２が防護管２を把持する力も相対的に弱まって、当該防護管保持用具１２が防護管２に沿ってその下方にずれる。この作業を繰り返すことで、防護管２の防護管取付機器３への装着作業を相対的に少ない労力で簡便に行うことができる。
【００３７】
ところで、防護管取付補助装置１１の構成及びこの防護管取付補助装置１１を用いた防護管２の防護管取付機器３への装着作業は、上記したものに限定されない。すなわち、防護管取付補助装置１１を構成する防護管保持用具１２として図６に示されるものを用いても良い。尚、この防護管保持用具１２の構成について、先の図２に示される防護管保持用具１２と同様の構成の部分については、図２と同じ符号を付してその説明を省略する。
【００３８】
この防護管保持用具１２は、通常時においては、図６（Ｂ）の一点鎖線矢印の方向に示されるように、構成部材１６の延出部１９と構成部材１７の延出部１９とが相互に近接する方向にテンションがかけられており、これにより、防護管２が成部材１６の把持部１８と構成部材１７の把持部１８との間に収納されている場合には、防護管２はこれら把持部１８、１８で挟持されて把持された状態にある。また、開閉機構２４を構成するつまみ部２５、２５は、図６（Ｂ）の白抜き矢印として示すように、つまみ部２５、２５を相互に近接するように可動することで、構成部材１６、１７の延出部１９、１９同士が対峙する側は、図６（Ｂ）の太線矢印の方向に可動して、延出部１９、１９が相互に離れる方向に可動して開いた状態となる。
【００３９】
しかるに、この図６に示される防護管保持用具１２を用いる場合には、防護管保持用具１２を防護管２の側方外面に装着する際にあたり、絶縁ヤットコ等の間接活線工具でつまみ部２５、２５を持って相互に近接させることで、延出部１９、１９間を開いて防護管保持用具１２を防護管２に装着する。そして、絶縁ヤットコ等の間接活線工具で掴んで線状部材１４を下方に引き下げて、防護管２を防護保持用具１２と共に防護管取付機器３側に引き上げ、この防護管取付機器３の防護管挿入ガイド６まで案内させた後、地上からの位置が相対的に高くなった防護管保持用具１２に対し、絶縁ヤットコ等の間接活線工具でつまみ部２５、２５を持って相互に近接させることで、再度、延出部１９、１９間を開いて、防護管保持用具１２を防護管２に沿ってずり下げることが行われる。
【図面の簡単な説明】
【００４０】
【図１】図１は、この発明に係る防護管取付補助装置が配置された状態を示す全体構成図である。
【図２】図２は、同上の防護管取付補助装置を構成する防護管保持用具の構成を示す説明図であり、図２（Ａ）は当該防護管保持用具の側面図、図２（Ｂ）は当該防護管保持用具の正面図、図２（Ｃ）は、当該防護管保持用具の図２（Ａ）とは反対側を示す側面図である。
【図３】図３は、同上の防護管取付補助装置の架線吊下げ具の断面並びに引き綱の構成を示す説明図である。
【図４】図４は、同上の架線吊下げ具を通孔の軸方向側から見た状態を示す説明図である。
【図５】図５は、同上の架線吊下げ具の斜視図である。
【図６】図６は、図２に示される同上の防護管取付補助装置を構成する防護管保持用具の他の構成を示す説明図であり、図６（Ａ）は当該防護管保持用具の側面図、図６（Ｂ）は当該防護管保持用具の正面図、図６（Ｃ）は、当該防護管保持用具の図６（Ａ）とは反対側を示す側面図である。
【符号の説明】
【００４１】
１  架線
２  防護管
３  防護管取付機器
１１  防護管取付補助装置
１２  防護管保持用具
１３  架線吊下げ具
１４  線状部材
１８  把持部
１９  延出部
２４  開閉機構
２８  貫通孔
２９  筒状体
３０、３１  滑車
３３、３４  支持部
【図１】
2010035379.tif 000003
【図２】
2010035379.tif 000004
【図３】
2010035379.tif 000005
【図４】
2010035379.tif 000006
【図５】
2010035379.tif 000007
【図６】
2010035379.tif 000008